(57)【要約】【課題】受け皿及び水漏れセンサを有する食器洗浄機において、水漏れセンサを受け皿に設けるとともに、ハウシング内に挿入された受け皿を当該ハウシングから容易に引き出し得るようにする。【解決手段】受け皿４０は、受け皿本体４０ａにフロントパネル４０ｂを一体的に設けて構成されており、この受け皿は、フロントパネル４０ｂでもって、受け皿本体にて、ケーシング３０内に出し入れ可能に挿入される。水漏れセンサ４０ｃは、受け皿本体４０ａの後壁４４に支持部材４５により支持されている。【選択図】　　図１
2004097695.tif 000002
【特許請求の範囲】
【請求項１】
洗浄水により食器を洗浄する洗浄機本体、下台及び水漏れセンサを備える食器洗浄機であって、
前記下台は、
設置面上に設置されるケーシングと、
このケーシング内にその前壁側開口部から出し入れ可能に挿入される受け皿本体であって前記ケーシングの前壁側を臨むように開口する受け皿本体と、
この受け皿本体にその開口を閉じるように一体的に設けられて当該受け皿本体の内側に貯留部を形成するとともに前記受け皿本体を前記ケーシング内に挿入したときこのケーシングをその前壁側開口部にて閉じるフロントパネルとを有する受け皿とを備え、
前記洗浄機本体は、前記ケーシングの上壁上に載置され、
前記水漏れセンサは、前記受け皿の一部に支持されて、前記洗浄水のうち前記洗浄機本体の底側から漏れて、前記ケーシングの上壁に形成した通し穴を通り前記貯留部内に滴下して溜まる水を検出するようにした食器洗浄機。
【請求項２】
前記受け皿は、前記貯留部内にその底壁と共に二重底構造を形成するように設けられる板状上げ底部材を備え、
この板状上げ底部材は、前記貯留部の底壁に対向するように通し穴を形成してなり、
前記水漏れセンサは、前記板状上げ底部材よりも下側にて前記受け皿の一部に支持されて、前記洗浄水のうち前記洗浄機本体の底側から漏れて、前記ケーシングの通し穴及び前記板状上げ底部材の通し穴を通り前記貯留部内に滴下して溜まる水を検出することを特徴とする請求項１に記載の食器洗浄機。
【請求項３】
前記貯留部内に取り出し可能に収容される上げ底箱を備え、
前記貯留部は、その底壁から内方へ隆起する複数の隆起部を有し、
前記上げ底箱は、前記貯留部の複数の隆起部上に載置されて当該貯留部の底壁と共に二重底構造を形成する底板部を有し、
この底板部は、前記貯留部の底壁に対向するように通し穴を形成してなり、
前記水漏れセンサは、前記底板部よりも下側にて前記受け皿の一部に支持されて、前記洗浄水のうち前記洗浄機本体の底側から漏れて、前記ケーシングの通し穴及び前記底板部の通し穴を通り前記貯留部内に滴下して溜まる水を検出することを特徴とする請求項１に記載の食器洗浄機。
【発明の詳細な説明】
【０００１】
【発明の属する技術分野】
本発明は、ビルトイン型食器洗浄機その他各種の食器洗浄機に関する。
【０００２】
【従来の技術】
従来、食器洗浄機においては、下記特許文献１にて開示したものがある。この食器洗浄機では、洗浄槽及びトレイ状の水受けパンは、上下に位置した状態で、ハウシング内にその前側開口部から出し入れ可能に挿入される。また、水漏れセンサは、ハウシング内にてその後壁に支持部材により上下方向に傾動可能に支持されている。このため、当該水漏れセンサは、支持部材の下方への傾動時には、センサ部にて当該水受けパン内への漏れ水を検出するように水受けパンの後部内に位置する。また、当該水漏れセンサのセンサ部は、支持部材の上方への傾動時には、当該水受けパンをハウシングから引き出し得るように水受けパンの後部内から上方へ変位する。
【０００３】
【特許文献１】
特開２００１−２０４６７４号公報（段落番号「００２４」の欄の記載参照）
【０００４】
【発明が解決しようとする課題】
ところで、上記食器洗浄機では、水受けパンはハウシングの開口部から引き出すに必要な取っ手等の把持部を備えていないため、この水受けパンをハウシングから引き出す際に引き出し難いという不具合がある。
【０００５】
また、水漏れセンサは、水受けパンではなく、ハウシングの後壁に支持されているため、当該水受けパンのハウシングの底部に対する入れ方が不十分であると、水漏れセンサのセンサ部は、支持部材を下方へ傾動させても、水受けパンの後部内には入れず、その結果、水漏れ検出を行えないという不具合もある。
【０００６】
そこで、本発明は、以上のようなことに対処するため、受け皿及び水漏れセンサを有する食器洗浄機において、水漏れセンサを受け皿に設けるとともに、ハウシング内に挿入された受け皿を当該ハウシングから容易に引き出し得るようにすることを目的とする。
【０００７】
また、本発明は、上記食器洗浄機において、上記受け皿を小物入れとして兼用し得るようにすることを目的とする。
【０００８】
【課題を解決するための手段】
上記課題の解決にあたり、本発明に係る食器洗浄機は、請求項１の記載によれば、
洗浄水により食器を洗浄する洗浄機本体（Ｂ）、下台（Ａ）及び水漏れセンサ（４０ｃ、４０ｄ）を備える。当該食器洗浄機において、下台は、
設置面上に設置されるケーシング（３０）と、
このケーシング内にその前壁（３１）側開口部（３１ａ）から出し入れ可能に挿入される受け皿本体であってケーシングの前壁側を臨むように開口する受け皿本体（４０ａ）と、
この受け皿本体にその開口を閉じるように一体的に設けられて当該受け皿本体の内側に貯留部（Ｓ）を形成するとともに受け皿本体をケーシング内に挿入したときこのケーシングをその前壁側開口部にて閉じるフロントパネル（４０ｂ）とを有する受け皿（４０）とを備える。
【０００９】
また、洗浄機本体は、ケーシングの上壁上に載置され、水漏れセンサは、受け皿の一部（４４、４５）に支持されて、上記洗浄水のうち洗浄機本体の底側から漏れて、ケーシングの上壁に形成した通し穴（３２ａ）を通り貯留部内に滴下して溜まる水を検出する。
【００１０】
これによれば、受け皿は受け皿本体にフロントパネルを一体的に設けて構成されている。しかも、フロントパネルはケーシングの前壁よりも前側に位置しているため、当該フロントパネルの外周部は取手等の把持部としての役割を発揮し把持し易くなっている。従って、フロントパネルをその外周部にて把持しながらケーシングの前側へ引っ張るだけで、受け皿をケーシングから容易に引き出すことができて、便利である。
【００１１】
また、水漏れセンサは、上述のごとく、受け皿の一部に支持されているので、当該水漏れセンサの受け皿の貯留部内での検出位置は不変的に維持される。従って、受け皿をケーシングから引き出した後に再び当該ケーシング内に挿入する場合、この挿入の仕方が仮に不十分であったとしても、洗浄機本体から漏れる洗浄水が受け皿の貯留部内に滴下し得る限り、水漏れセンサによる水漏れ検出は確実に行い得る。
【００１２】
また、本発明は、請求項２の記載によれば、請求項１に記載の食器洗浄機において、受け皿は、貯留部内にその底壁（４１）と共に二重底構造を形成するように設けられる板状上げ底部材（５０）を備える。
【００１３】
この板状上げ底部材は、貯留部の底壁に対向するように通し穴（５１ａ）を形成してなり、水漏れセンサは、板状上げ底部材よりも下側にて受け皿の一部（４４）に支持されて、上記洗浄水のうち洗浄機本体の底側から漏れて、ケーシングの通し穴及び板状上げ底部材の通し穴を通り貯留部内に滴下して溜まる水を検出することを特徴とする。
【００１４】
このように、貯留部内に板状上げ底部材を設けたので、上げ底部材に小物を載せることで、受け皿を小物入れとして兼用し得る。
【００１５】
また、上述のように、受け皿は貯留部の底壁及び板状上げ底部材でもって二重底構造に形成されているので、ケーシング内にその通し穴から滴下する洗浄水は、上げ底部材の通し穴を通り貯留部内に溜まる。従って、水漏れセンサによる水漏れ検出は請求項１に記載の発明と同様に行える。ここで、上述のように受け皿を二重底構造にし、かつ水漏れセンサを、上げ底部材の下側に位置させているので、上げ底部材に載せた小物と接触することはなく、破損や誤検出を招くこともない。
【００１６】
また、本発明は、請求項３の記載によれば、請求項１に記載の食器洗浄機において、貯留部内に取り出し可能に収容される上げ底箱（６０）を備え、
貯留部は、その底壁（４１）から内方へ隆起する複数の隆起部（４１ａ）を有し、
上げ底箱は、貯留部の複数の隆起部上に載置されて当該貯留部の底壁と共に二重底構造を形成する底板部（６１）を有し、この底板部は、貯留部の底壁に対向するように通し穴（６１ａ）を形成してなり、
水漏れセンサは、底板部よりも下側にて受け皿の一部（４４）に支持されて、上記洗浄水のうち洗浄機本体の底側から漏れて、ケーシングの通し穴及び底板部の通し穴を通り貯留部内に滴下して溜まる水を検出することを特徴とする。
【００１７】
このように、貯留部内に上げ底箱を収容したので、当該上げ底箱内に小物を入れることで、受け皿を小物入れとして兼用し得る。また、上げ底箱は貯留部内に取り出し可能に収容されているので、当該上げ底箱は、小物を入れたまま受け皿から取り出すことができて便利である。
【００１８】
また、上述のように、受け皿は貯留部の底壁及び上げ底箱の底板部でもって二重底構造に形成されているので、ケーシング内にその通し穴から滴下する洗浄水は、底板部の通し穴を通り貯留部内に溜まる。従って、水漏れセンサによる水漏れ検出は請求項１に記載の発明と同様に行える。ここで、上述のように受け皿を二重底構造にし、かつ水漏れセンサを、底板部の下側に位置させているため、上げ底箱内に入れた小物と接触することはなく、破損や誤検出を招くこともない。
【００１９】
なお、上記各手段の括弧内の符号は、後述する実施形態に記載の具体的手段との対応関係を示すものである。
【００２０】
【発明の実施形態】
以下、本発明の各実施形態を図面により説明する。
（第１実施形態）
図１は、本発明が適用された家庭用ビルトイン型食器洗浄機の一例を示している。当該食器洗浄機は、家庭内のシステムキッチンに設けたビルトイン空間部に格納されるようになっており、この食器洗浄機は、上記ビルトイン空間部内にてその底面上に設置される下台Ａと、この下台Ａ上に載置された洗浄機本体Ｂとを備えている。
【００２１】
洗浄機本体Ｂは、直方体形状のハウシング１０を備えており、このハウシング１０の内部は、上下に区画されて、洗浄室及び機械室（図示しない）を上下に形成している。また、洗浄機本体Ｂは、洗浄槽２０を備えており、この洗浄槽２０は、ハウシング１０の洗浄室内にその前端側開口部から出し入れ可能に収容されている。なお、図１にて、符号２１は、洗浄槽２０のフロントパネルを示す。また、上記機械室内には、噴射ノズル等の洗浄用部材が配設されている。なお、当該洗浄用部材は、その支持部にて、上記機械室の底壁に嵌着されている。
【００２２】
下台Ｂは、図１にて示すごとく、直方体形状のケーシング３０と、水漏れ用受け皿４０とを備えている。ケーシング３０は、その前壁３１にて、当該ケーシング３０内に受け皿４０を出し入れ可能に挿入するための開口部３１ａを形成してなり、このケーシング３０の上壁３２には、複数の通し穴３２ａが、図２にて示すごとく、形成されている。各通し穴３２ａは、ハウシング１０からその底壁を介し漏れ出る水をケーシング３０内に滴下させる役割をもつ。
【００２３】
また、ケーシング３０は、図３及び図４にて示すごとく、左右両側案内部材３０ａ（図３及び図４では左側案内部材３０ａのみを示す）を備えており、左側案内部材３０ａは、ケーシング３０の左側壁３３（図２及び図３参照）に設けられている。
【００２４】
左側案内部材３０ａは、上下一対の略Ｌ字状レール３５、３６を備えている。上側レール３５は、その基部３５ａにて、左側壁３３の内面上下方向上側中間部位に前後方向に水平状に装着されており、当該上側レール３５のレール部３５ｂは、基部３５ａの下縁からケーシング３０の右側壁３４（図２参照）に向け水平状に延出している。また、上側レール３５は、その係止部３５ｃにて、後述のような受け皿４０の抜け止めのため、レール部３５ｂの前端から下方へＬ字状に屈曲している。
【００２５】
一方、下側レール３６は、上側レール３５の下側に位置しており、この下側レール３６は、その基部３６ａにて、上側レール３５にその前後方向に沿い平行となるように左側壁３３の内面に装着されている。また、下側レール３６は、そのレール部３６ｂにて、基部３６ａの上縁から右側壁３４に向け水平状に延出している。なお、下側レール３６は、上側レール３５よりも前方へ延出している（図３及び図４参照）。
【００２６】
右側案内部材３０ａは、左側案内部材３０ａの上下一対の略Ｌ字状レール３５、３６と同様の上下一対の略Ｌ字状レールを備え、これらレールを、図２にてケーシング３０の左右方向中央を基準として左側案内部材３０ａの一対のレール３５、３６とは対照的に位置させるように、右側壁３４の内面に装着されている。これにより、右側案内部材３０ａの各レール部は、それぞれ、左側案内部材３０ａの各レール部３５ｂ、３６ｂに対向している。
【００２７】
受け皿４０は、図１にて示すごとく、受け皿本体４０ａと、フロントパネル４０ｂと、水漏れセンサ４０ｃとにより構成されている。受け皿本体４０ａは、ケーシング３０内にその開口部３１ａから出し入れ可能に挿入されるもので、この受け皿本体４０ａは、平板状の底壁４１と、左右両側壁４２、４３と、後壁４４とにより、一体に構成されている。
【００２８】
左側壁４２は、側壁部４２ａ、摺動部４２ｂ及び係止部４２ｃを一体に有しており、側壁部４２ａは、底壁４１の左端部から図１にて図示上方に延出している。摺動部４２ｂは、側壁部４２ａの上端から図１にて図示左側へＬ字状に延出して、左側案内部材３０ａの両レール部３５ｂ、３６ｂの間に介装されてレール部３６ｂの上面に沿い前後方向に摺動可能となっている。また、係止部４２ｃは、摺動部４２ｂの後端から上方へＬ字状に屈曲して、左側案内部材３０ａの係止部３５ｃにその後方から係止することで摺動部４２ｂの前方への抜け止めをするようになっている（図４参照）。
【００２９】
一方、右側壁４３は、側壁部４３ａ、摺動部４３ｂ及び係止部４３ｃを一体に有しており、側壁部４３ａは、底壁４１の右端部から図１にて図示上方に延出している。摺動部４３ｂは、側壁部４３ａの上端から図１にて図示右側へＬ字状に延出して、右側案内部材３０ａの両レール部の間に介装されて下側レールのレール部の上面に沿い前後方向に摺動可能となっている。なお、受け皿本体４０ａは、底壁４１上の両側壁部４２ａ、４３ａの各前端部間側にて前方に開口している。
【００３０】
また、係止部４３ｃは、摺動部４３ｂの後端から上方へＬ字状に屈曲して、右側案内部材３０ａの係止部にその後方から係止することで摺動部４３ｂの前方への抜け止めをするようになっている。換言すれば、左右両側壁４２、４３の各係止部４２ｃ、４３ｃは、左右両側案内部材３０ａの各係止部にその後方から係止することで、受け皿４０の抜け止めを行うようになっている。後壁４４は、底壁４１の後端から図１にて図示上方に延出している。
【００３１】
フロントパネル４０ｂは、その内面下部にて、両側壁４２ａ、４３ａ及び底壁４１の各前端部に装着されて受け皿本体４０ａの前方への開口を閉じることで、受け皿本体４０ａの内側に貯留部Ｓを形成するとともに、貯留部Ｓを上方へ開口させている。また、フロントパネル４０ｂは、その下部から上方へ延出されて、ハウシング１０の機械室をその前面にて覆うようになっている。
【００３２】
また、当該フロントパネル４０ｂは鉄等の磁性材料で形成されており、このフロントパネル４０ｂは、その左右両端部にて、ケーシング３０の前壁３１の左右両端部に対向している。ここで、左右の各円柱状マグネット３７は、図１及び図２にて示すごとく、それぞれ、当該前壁３１の左右両端部にその下側中間部位にて嵌着されており、当該各マグネット３７の外端部は、前壁３１からその前側へ露呈している。これにより、受け皿本体４０ａのケーシング３０内への挿入終了時に、フロントパネル４０ｂは、その左右両端部にて、左右マグネット３７により磁気的に吸着されて、ケーシング３０を前壁３１の開口部３１ａにて閉じる。
【００３３】
水漏れセンサ４０ｃは、図１及び図５にて示すごとく、受け皿本体４０ａの後壁４４の左右方向中央部にその内面側からＬ字状支持板４５により支持されている。ここで、支持板４５は、その基板部４５ａにて、後壁４４の上下方向中間部位に固着されており、この支持板４５の二股部４５ｂは、図５及び図６にて示すごとく、基板部４５ａの下端から水平状に前方へ延出している。
【００３４】
水漏れセンサ４０ｃは、図５及び図６にて示すごとく、センサ本体４６を備えており、このセンサ本体４６は、段付き円柱部４６ａと、この円柱部４６ａから同軸的に上方へ延出する雄ねじ部４６ｂと、円柱部４６ａからその軸に平行に下方へ延出する両ピン状センサ端子４６ｃとを備えている。また、水漏れセンサ４０ｃは、ナット４７を備えており、このナット４７は、センサ本体４６の雄ねじ部４６ｂに螺合している。
【００３５】
センサ本体４６は、雄ねじ部４６ｂのうち円柱部４６ａとナット４７との間の部位にて支持板４５の二股部４５ｂ内に嵌装されて、ナット４７の締め付けにより当該ナット４７及び円柱部４６ａでもって二股部４５ｂを挟持することで、支持板４５に支持されている。この支持状態において、両センサ端子４６ｃの各先端部と受け皿本体４０ａの底壁４１の内面との間には、間隙ｇが形成されている（図５参照）。
【００３６】
しかして、水漏れセンサ４０ｃは、その両センサ端子４６ｃの短絡に伴い、受け皿本体４０ａ内への水漏れを検出する。また、本第１実施形態では、水漏れセンサ４０ｃによる水漏れ検出出力は、ブザーやディスプレイ等の報知機器（図示しない）でもって警報音や警報表示等の報知をすることで認識される。なお、水漏れセンサ４０ｃは、ケーシング３０の外側からその内側へ延びる配線により接続されている。
【００３７】
以上のように構成した本第１実施形態において、受け皿４０の受け皿本体４０ａは、底壁４１を水平状に維持するようにケーシング３０内に挿入されており、フロントパネル４０ｂは、その左右両端部にて、ケーシング３０の左右両マグネット３７により吸着されて、当該ケーシング３０をその開口部３１ａにて閉状態に維持しているものとする。そして、このような状態にて、洗浄機本体Ｂの洗浄室内に収容した食器は上記機械室内の洗浄用部材からの洗浄水の噴射でもって洗浄されているものとする。
【００３８】
しかして、このような洗浄の過程或いはこの洗浄後において、洗浄水が上記機械室の底壁を通り下台Ｂのケーシング３０内にその上壁３２の複数の通し穴３２ａを通り漏れ出ると、この漏れ水は貯留部Ｓ内に滴下して溜まる。そして、貯留部Ｓ内における洗浄水の滞留量が増えて当該滞留洗浄水がその水面にて水漏れセンサ４０ｃの両センサ端子４６ｃを短絡させると、当該水漏れセンサ４０ｃは、受け皿４０内への洗浄水の漏れを水漏れとして検出する。
【００３９】
すると、この水漏れセンサ４０ｃの検出出力は、上述したブザーやディスプレイ等の報知機器でもって警報音や警報表示等の報知をすることで水漏れとして認識される。従って、受け皿４０をケーシング３０から引き出すことによって、貯留部Ｓ内の滞留洗浄水をタイミングよく処分することができる。その結果、貯留部Ｓ引いては受け皿４０からの滞留洗浄水の溢水を未然に防止でき、上記システムキッチンのビルトイン空間部の底面を水漏れで濡らすことがない。
【００４０】
ここで、受け皿４０は、上述のようにフロントパネル４０ｂを受け皿本体４０ａに一体的に設けて構成されている。また、フロントパネル４０ｂは、ケーシング３０の前壁３１よりも前側に位置しているため、当該フロントパネル４０ｂの外周部は取手等の把持部としての役割を発揮し把持し易くなっている。従って、フロントパネル４０ｂをその外周部にて把持しながらケーシング３０の前側へ引っ張るだけで、受け皿４０をケーシング３０から容易に引き出すことができて、便利である。
【００４１】
また、受け皿４０をケーシング３０から引き出す際には、受け皿本体４０ａがその左右の摺動部４２ｂ、４３ｂにて左右両側案内部材３０ａの各レール部により案内される。従って、受け皿４０をケーシング３０から引き出す作業がより一層容易になる。
【００４２】
また、受け皿４０を上述のように引き出すと、受け皿本体４０ａは、図４から分かるように傾斜状態となる。これは、受け皿本体４０ａの左側壁４２を例にとれば、摺動部４２ｂが、その自重のため、図４にて示すごとく、左側案内部材３０ａのレール部３６ｂの前端部と係止部３５ｃとの間にて傾斜して位置することとなるからである。このとき、係止部４２ｃは、係止部３５ｃに対し後方から係止することで、受け皿４０のケーシング３０からの抜け止めをする役割を果たす。このようなことは、受け皿本体４０ａの右側壁４３においても右側案内部材３０ａとの関係で同様に達成される。
【００４３】
従って、受け皿４０をケーシング３０から取り外す際には、受け皿４０の前部を上方に持ち上げて、受け皿本体４０ａの左右両係止部４２ｃ、４３ｃを左右両側案内部材３０ａの両係止部から解放しながら、受け皿４０を前方へ引っ張ればよい。また、このようにして受け皿４０を引っ張るに先立ち、配線によりケーシング３０で接続されている水漏れセンサ４０ｃは、センサ本体４６の雄ねじ部４６ｂに対するナット４７の螺合状態を緩めることで、支持部材４５から取り外せばよい。
【００４４】
また、上記滞留洗浄水を処分した後の受け皿４０は、受け皿本体４０ａをケーシング３０の開口部３１ａから左右両側案内部材３０ａの各両レール部間に介装して押し込むことで、容易にケーシング３０内に挿入できる。この挿入は、水漏れセンサ４０ｃをその雄ねじ部４６ｂにてナット４７の締着により支持部材４５に支持した上で行う。また、上記挿入の終了時にフロントパネル４０ｂの左右両端部を左右両マグネット３７に吸着させることで、フロントパネル４０ｂによりケーシング３０をその開口部３１ａにて閉状態に維持できる。この閉状態が確保できないときには、フロントパネル４０ｂが周辺のシステムキッチンの面よりも前側へ飛び出すことになるので、受け皿４０のケーシング３０への挿入が不十分であることが容易に分かる。また、上述のような閉状態では、フロントパネル４０ｂがケーシング３０の内部を隠す役割を果たすので、受け皿本体４０ａは見えず、食器洗浄機としての見栄えを向上し得る。
【００４５】
また、水漏れセンサ４０ｃは、上述のごとく、受け皿本体４０ａ内にてその後壁４４に支持されているので、当該水漏れセンサ４０ｃの両センサ端部４６ｃの各先端部と底壁４１の内面との間隙ｇは、不変に維持される。従って、受け皿４０をケーシング３０から取り外した後に再び当該ケーシング３０内に挿入した場合、この挿入の仕方が仮に不十分であったとしても、洗浄機本体Ａから漏れる洗浄水が受け皿本体４０ａ内に滴下し得る限り、水漏れセンサ４０ｃによる水漏れ検出は確実に行い得る。また、上述のように間隙ｇが不変的に維持されるので、当該間隙ｇを適切に設定することで、受け皿４０内の滞留洗浄水が処分すべき量に達するタイミングを精度よく選定できる。この場合、間隙ｇを狭くする程、より少量の水漏れの検出が可能となる。
【００４６】
また、上述のように、受け皿４０の引き出しに伴い水漏れセンサ４０ｃを支持部材４５から取り外すことができるので、当該水漏れセンサ４０ｃの故障等に伴うメインテナンスも容易に行える。
（第２実施形態）
図７及び図８は、本発明の第２実施形態の要部を示している。この第２実施形態は、上記第１実施形態にて述べた受け皿４０を小物入れとして兼用するために提案されている。このため、本第２実施形態では、上記第１実施形態にて述べた受け皿４０において、コ字状の上げ底板５０を付加的に設け、かつ、水漏れセンサ４０ｃに代えて水漏れセンサ４０ｄを受け皿本体４０ａに設けた構成となっている。
【００４７】
上げ底板５０は、平板状底板部５１と、左右両側支持板部５２（図７及び図８では左側支持板部５２のみを示す）とを備えている。左右両側支持板部５２は、底板部５１の左右両端から上方へコ字状に延出しており、これら左右両側支持板部５２は、底板部５１を受け皿本体４０ａの底壁４１（貯留部Ｓの底壁４１）に並行に維持するように、貯留部Ｓ内にて左右両側壁部４２ａ、４３ａの上下方向中間部位に支持されている。底板部５１には、複数の通し穴５１ａが形成されており、これら各通し穴５１ａはケーシング３０の上壁３２の各通し穴３２ａから滴下する洗浄水を底壁４１上に滴下する役割を果たす。
【００４８】
水漏れセンサ４０ｄは、上記第１実施形態にて述べた水漏れセンサ４０ｃにおいて、両センサ端子４６ｃに代えて、Ｌ字状の両センサ端子４６ｄを設けた構成となっている。しかして、当該水漏れセンサ４０ｄは、図８にて示すごとく、受け皿本体４０ａの後壁４４の左右方向中央のうち上げ底板５０の底板部５１と受け皿本体４０ａつまり貯留部Ｓの底壁４１との間の部位（以下、センサ支持部位という）に支持されている。
【００４９】
具体的には、水漏れセンサ４０ｄは、雄ねじ部４６ｂにて、後壁４４の内側から上記センサ支持部位に形成した挿通穴部４４ａに挿通され、ナット４７による締着のもとに、上記センサ支持部位に支持されている。このため、水漏れセンサ４０ｄは、上記挿通穴部４６ｂと同軸的に支持されて、両センサ端子４６ｄをその各先端部にて下方へＬ字状に屈曲させて底壁４１の内面に対向させている。なお、両センサ端子４６ｄの各先端部と底壁４１の内面との間には上記第１実施形態と同様に間隙ｇが付与されている。その他の構成は上記第１実施形態と同様である。
【００５０】
このように構成した本第２実施形態においては、受け皿本体４０ａつまり貯留部Ｓの底壁４１及び上げ底板５０の底板部５１が互いに間隔をおいた二重底構造となっているので、上げ底板５０の底板部５１上に食器洗浄機用洗剤の予備等の小物を載せても、上記第１実施形態にて述べたと同様に食器洗浄機本体Ｂから漏れ出て下台Ａのケーシング３０内にその各通し穴３１ａを通り滴下する洗浄水は、上げ底板５０の底板部５１の下方へ各通し穴５１ａを通り滴下して底板部５１の下側にて貯留部Ｓの底壁４１上に溜まる。
【００５１】
このようにして溜まる洗浄水の量が増えて、当該滞留洗浄水がその水面でもって水漏れセンサ４０ｄの両センサ端子４６ｄを短絡させると、水漏れセンサ４０ｄは受け皿４０への水漏れを検出して、上記第１実施形態と同様に報知機器に報知させる。その結果、受け皿４０を小物入れとして兼用しつつ、上記第１実施形態と同様に、受け皿４０内の漏れ水をタイミングよく処分し得るのは勿論のことその他の作用効果をも達成できる。
【００５２】
また、上述のような二重底構造を採用することで、上げ底板５０の底板部５１上に小物を載せて受け皿４０を小物入れとして兼用しても、水漏れセンサ４０ｄは底板部５１の下側に位置しているので、当該小物が水漏れセンサ４０ｄに直接接触することはあり得ず、その結果、水漏れセンサ４０ｄの破損や誤検出を招くこともない。
（第３実施形態）
図９及び図１０は、本発明の第３実施形態の要部を示している。この第３実施形態においては、上記第２実施形態にて述べた受け皿４０において、受け皿本体４０ａに複数の隆起部４１ａを設け、かつ、上げ底板５０に代えて、上げ底箱６０を設けた構成となっている。複数の隆起部４１ａは、図９及び図１０にて示すごとく、それぞれ、受け皿本体４０ａ詰まり貯留部Ｓの底壁４１にその内面側へ湾曲状に隆起して形成されている。
【００５３】
上げ底箱６０は、図１０から分かるごとく、平板状底板部６１の外周部から周壁部６２を環状に上方へ延出させて構成されており、当該上げ底箱６０は、貯留部Ｓ内に収容され、その底板部６１にて各隆起部５１ａ上に載置されている。但し、各隆起部４１ａの頂部の隆起高さは、上記第２実施形態にて述べた上げ底板５０の底板部５１の下面の底壁４１の内面からの高さに等しくしてあることから、上記第２実施形態にて述べた水漏れセンサ４０ｄは、底板部６１の下面と底壁４１の内面との間に対応して位置している。
【００５４】
また、底板部６１には複数の通し穴６１ａが図１０にて示すごとく格子状に形成されており、これら各通し穴６１ａはケーシング３０の上壁３２の各通し穴３２ａから滴下する洗浄水を底壁４１上に滴下する役割を果たす。その他の構成は上記第２実施形態と同様である。なお、底板部６１の各通し穴６１は、格子状に限ることなく、互いに間隔をおいて底板部６１に形成されていればよい。
【００５５】
このように構成した本第３実施形態では、受け皿本体４０ａつまり貯留部Ｓの底壁４１及び上げ底箱６０の底板部６１が互いに間隔をおいた二重底構造となっているので、上げ底箱６０が、上記第２実施形態にて述べた上げ底板５０に代えて、小物入れ用としての役割を果たす。その結果、本第３実施形態においては、受け皿本体４０ａ内に上げ底箱６０を収容することで、上記第２実施形態と同様に受け皿４０を小物入れ兼用として利用することができる。
【００５６】
ここで、上げ底箱６０は、上記第２実施形態にて述べた上げ底板５０とは異なり、受け皿本体４０ａとは分離可能となっていることから、上げ底箱６０をその内部に小物を入れたまま受け皿本体４０ａから取り出すこともできる。
【００５７】
また、上述のように二重底構造となっているので、上げ底箱６０内に小物を入れても、上記第２実施形態にて述べたと同様に食器洗浄機本体Ｂから漏れ出て下台Ａのケーシング３０内にその各通し穴３１ａを通り滴下する洗浄水は、上げ底箱６０の底板部６１の下方へ各通し穴６１ａを通り滴下して底板部６１の下側にて貯留部Ｓの底壁４１上に溜まる。従って、上記第２実施形態と同様に、水漏れセンサ４０ｄによる受け皿４０への水漏れ検出に基づきその報知がなされる。その結果、上記第２実施形態と同様に、受け皿４０を小物入れとして兼用しつつ、受け皿４０内の漏れ水のタイミングのよく処分し得るのは勿論のこと水漏れセンサ４０ｄの破損や誤検出の防止その他の作用効果も達成できる。
【００５８】
また、上述のように上げ底箱６０を貯留部Ｓ内に分離可能に収容するから、上げ底箱６０を貯留部Ｓから取り出すことで、水漏れセンサ４０ｄのメインテナンスが容易になる。
【００５９】
なお、本発明の実施にあたり、食器洗浄機は、ビルトイン型のものに限ることなく、各種の型式の食器洗浄機であってもよく、また、家庭用に限ることもない。
【００６０】
また、本発明の実施にあたり、水漏れセンサ４０ｃ或いは４０ｃは、受け皿本体４０ａの後壁４４に限ることなく、当該受け皿本体の左右の側壁４２、４３及び底壁４１並びにフロントパネル４０ｂのうちの一部に支持されるようにしてもよい。ここで、水漏れセンサ４０ｃ或いは４０ｄの両センサ端子は、その各先端部にて、受け皿本体４０ａの底壁４１に対向するようにする。
【図面の簡単な説明】
【図１】本発明に係るビルトイン型食器洗浄機の第１実施形態を示す斜視図である。
【図２】当該食器洗浄機の下台のうちハウシングの斜視図である。
【図３】上記第１実施形態における洗浄機本体のハウシング内の左側案内部材の部分破断斜視図である。
【図４】上記第１実施形態における下台のハウシング内から見た上記左側案内部材と受け皿における左側壁の摺動部及び係止部との関係を示す要部断面図である。
【図５】上記第１実施形態における水漏れセンサの受け皿本体への支持状態を示す側面図である。
【図６】図５の水漏れセンサを支持部材から分離した状態を示す斜視図である。
【図７】本発明の第２実施形態の要部を示す部分破断斜視図である。
【図８】上記第２実施形態における水漏れセンサの上げ底板及び受け皿本体との位置関係を示す部分断面図である。
【図９】本発明の第３実施形態の要部を示す部分破断斜視図である。
【図１０】上記第３実施形態における上げ底箱の受け皿本体への収容状態を示す部分断面斜視図である。
【符号の説明】
Ａ…洗浄機本体、Ｂ…下台、Ｓ…貯留部、３０…ケーシング、３１…前壁、
３１ａ…開口部、３２…上壁、３２ａ、５１ａ、６１ａ…通し穴、
４０…受け皿、４０ａ…受け皿本体、４０ｂ…フロントパネル、
４０ｃ、４０ｄ…水漏れセンサ、４１…底壁、４４…後壁、４５…支持部材、
５０…上げ底板、５１、６１…底板部、６０…上げ底箱。
【図１】
2004097695.tif 000003
【図２】
2004097695.tif 000004
【図３】
2004097695.tif 000005
【図４】
2004097695.tif 000006
【図５】
2004097695.tif 000007
【図６】
2004097695.tif 000008
【図７】
2004097695.tif 000009
【図８】
2004097695.tif 000010
【図９】
2004097695.tif 000011
【図１０】
2004097695.tif 000012